(57)【要約】【課題】  発券処理した窓口と発券されたチケットを対応付けることにより各窓口で発券機を共用することのできるチケット発行装置を提供する。【解決手段】  複数の窓口に対して共通に設けた発券部並びにこれらを制御する制御部を備え、前記発券部は各窓口に配置された入力装置により入力した内容をチケット用紙に印字するとともに、いずれの窓口の入力装置から入力した内容であるかを表す識別マークを印字する。さらに、各窓口ごとに異なる位置または異なる方向に向けてチケットを排出する。【選択図】  図１
2011002914.tif 000002
【特許請求の範囲】
【請求項１】
複数の窓口に対して共通に設けた発券部並びにこれらを制御する制御部を備え、前記発券部は各窓口に配置された入力装置により入力した入力内容を用紙に印字するとともに、異なる入力内容がいずれの窓口の入力装置から入力した内容であるかを表す識別マークをチケット用紙に印字することを特徴とするチケット発行装置。
【請求項２】
複数の窓口に対して共通に設けた発券部並びにこれらを制御する制御部を備え、前記発券部は入力内容を印字して発券されたチケットを、入力した内容がいずれの窓口の入力装置から入力した内容であるかにしたがってそれぞれ異なる位置または異なる方向に向けて排出するチケット搬送手段を備えたことを特徴とするチケット発行装置。
【請求項３】
請求項２記載のチケット発行装置において、チケット搬送装置は一対の搬送ベルトと、該搬送ベルトの両側に配置され何れか一方のみが突出して搬送されるチケットの片方の進行を阻害してチケットの搬送向き仕分ける仕分け棒を備えたことを特徴とするチケット発行装置。
【発明の詳細な説明】
【技術分野】
【０００１】
本発明は、発券機を用いてチケットを発行するチケット発行装置において、特に発券機を共用してチケットを発券するチケット発行装置に関する。
【背景技術】
【０００２】
複数の利用者が一つの印刷装置を兼用するシステムにおいて、印刷装置に多数のスタッカを設け、印刷装置側で利用者を特定及び認識し、利用者ごとに排出スタッカを割り当てることにより利用者ごとの印刷物の混同を避けている（特許文献１参照）。
【０００３】
入力装置により入力したデータにしたがってチケットを発券する装置をスペースが狭い場所に設置する場合は、装置自体または構成する装置全体の小型化・多機能化が要求される。
【先行技術文献】
【特許文献】
【０００４】
【特許文献１】特開平７−３０２１８１号公報
【発明の概要】
【発明が解決しようとする課題】
【０００５】
発券されたチケットの混同を避けるためには、前述のように発券装置に多数のスタッカを設け、利用者ごとに排出スタッカを割り当てることが考えられるが設置スペースの問題で困難である。
【課題を解決するための手段】
【０００６】
本発明は上記課題を解決するため、次のような手段を採用した。
【０００７】
複数の窓口に対して共通に設けた発券部並びにこれらを制御する制御部を備え、前記発券部は各窓口に配置された入力装置により入力した内容をチケット用紙に印字するとともに、いずれの窓口の入力装置から入力した内容であるかを表す識別マークを印字する。さらに、各窓口ごとに異なる位置または異なる方向に向けてチケットを排出する。
【発明の効果】
【０００８】
本発明は、以上の構成を備えるため、各窓口で発券部を共用してチケットを発券してもチケットの混同を防ぐことができる。
【図面の簡単な説明】
【０００９】
【図１】本実施形態にかかる発券装置を説明する図である。
【図２】チケットの発券処理を説明する図である。
【図３】発券部により発券されたチケットの例を示す図である。
【図４】スタッカを含む発券部の構成を説明する図である。
【図５】図４に示す発券部の側面図である。
【図６】スタッカの構成を説明する図である。
【図７】仕分け棒の上下駆動機構を説明する図である。
【発明を実施するための形態】
【００１０】
最良の実施形態を添付図面を参照しながら説明する。図１は、本実施形態にかかるチケット発行装置を説明する図である。図１において、１はチケットを印刷して発券する発券部である。２Ａ、２Ｂ、２Ｃはそれぞれ窓口Ａ、Ｂ、Ｃに配置した制御部及び入力装置である。２Ａ、２Ｂ、２Ｃは入力した入力データ内容を発券部１に伝送する。
【００１１】
操作員はそれぞれ前記窓口ＡおよびＢおよびＣで待機し、例えば窓口Ａの操作員は、窓口Ａで入力したその内容を確認後、発券部１でチケットを発券する。
【００１２】
図２は、チケットの発券処理を説明する図である。例えば、窓口Ａの操作員は、入力装置２Ａから入力する。入力した内容を表示装置２Ａに表示して入力内容のチェックをする（ステップ２０２）。
【００１３】
入力情報（入力内容）は、入力装置２Ａから発券部１に転送され、発券部１は前記入力内容を図示しないホストコンピュータに転送する（ステップ２０３）。入力が複数回ある場合は、スタートに戻り入力回数分繰り返す（ステップ２０４）。
【００１４】
全ての情報の入力を終えると、発券部１によりチケットを印字し（ステップ２０５）、印字したチケットを順次スタッカに排出する（ステップ２０６）。操作員は排出されたチケットを前記スタッカから取り除く（ステップ２０７）。操作員がチケットをスタッカから取り除くと、スタッカ内にあるセンサが検出する。その後、操作員は前記印刷されたチケットを顧客に渡して精算する（ステップ２０８）。
【００１５】
図３は、発券部１により発券されたチケットの例を示す図であり、図３（ａ）は窓口Ａにより発券処理されたチケット、図３（ｂ）は窓口Ｂにより発券処理されたチケット、図３（ｃ）は窓口Ｃにより発券処理されたチケットを示す。図に示すように窓口Ａにより発券されたチケット３には、窓口Ａにより発券されたことを表す識別マーク４ａが印字され、窓口Ｂにより発券されたチケット３には、窓口Ｂにより発券されたことを表す識別マーク４ｂが印字され、窓口Ｃにより発券されたことを表す識別マーク４ｃが印字されている。これによりＡ、Ｂ、Ｃいずれの窓口で発券されたチケットであるかを容易に判別することが可能となる。
【００１６】
図４は、発券されたチケットを一時的に蓄積するスタッカを含む発券部の構成を説明する図である。チケット情報が印字される用紙は、ロール状に巻回されたロール紙５であり、入力装置から入力された情報は発券部内の印字機構６によりロール紙に印字される。このとき、前記情報を入力装置の情報に付加することにより、前記識別マーク４を印字することが可能となる。
【００１７】
印字されたチケット（ロール紙５）は、制御部内のチケットカッタ機構７で１枚ごとに切り離され、搬送ベルト８に挟持されてチケット排出口まで搬送される。前記搬送ベルトによる搬送路の途中に仕分け棒９Ａ、９Ｂを設けて、この仕分け棒を上下させることによりチケットの搬送路に対する向きを横から縦方向へと変更する。
【００１８】
例えば、窓口Ａで処理されたチケット３は、印字機構６においてチケット識別マーク４ａを印字し、チケットカッタ機構７に送られる。チケットカッタ機構により一枚ずつに切り離され、切り離されたチケットは搬送ベルト８に挟持されて排出口まで搬送される。
【００１９】
図４において、９Ａ、９Ｂは仕分け棒であり、搬送ベルト８の搬送方向左側および右側に配置する。図４（ａ）は、仕分け棒９Ａを搬送ベルトの右側に配置した例を示す図であり、搬送ベルトに挟持されて搬送されるチケット３は、仕分け棒９Ａに衝突して右回転して、後述するスタッカ内で縦方向左側に排出される。図４（ｂ）は、仕分け棒９Ｂを搬送ベルトの左側に配置した例を示す図であり、搬送ベルトに挟持されて搬送されるチケット３は、仕分け棒９Ｂに衝突して左回転して縦方向右側に排出される。図４（ｃ）は仕分け棒９には衝突せず、搬送ベルトに挟持されて搬送されるチケット３はスタッカ内で横方向に排出される。
【００２０】
図５は、図４に示す発券部を側面から見た図である。チケット３は印字機構６において印刷され、チケットカッタ機構７により１枚ごとに切り離され、搬送ベルト８に挟持されて搬送される。搬送されるチケット３は、搬送路の途中で仕分け棒９Ａまたは９Ｂにより搬送向きが変更され、変更された状態でスタッカ１０に蓄積される。
【００２１】
図６は、スタッカ１０の構成を説明する図である。図に示すように、スタッカ１０の底面の中央は山形に盛り上がっており、底面に設けたスロット１１を通してスタッカ１０内に搬入されたチケット（仕分け棒９により搬送向きが変更されている）は、前記山形に盛り上がった部分に沿って図の右方向に自然落下する。これにより縦方向に排出されたチケットを確実に区分することができる。
【００２２】
図７は、チケットの搬送向きを横から縦へと変更するための仕分け棒９Ａ、９Ｂの上下駆動機構を説明する図である。図に示すように、仕分け棒９は仕分け棒９Ａ、９Ｂ、仕分け棒９Ａ、９Ｂを連結する連結棒、および該連結棒を回動可能に支持する支持部を備える。１２は連結棒を揺動駆動するカム、１３は連結棒を一方向に付勢する付勢バネである。
【００２３】
入力した窓口に対応したチケット識別マークを印字するタイミングでカム１２を回転させて、仕分け棒９Ａ、９Ｂのいずれかを上方に駆動することにより搬送されるチケットの方向を変更することができる。
【００２４】
以上説明したように、本実施形態によれば、複数の窓口で一つの発券機を兼用することができる。
【００２５】
また、出力されるチケット媒体には、どの窓口で処理された入力内容に対応したチケットであるかを表すマークを印字することができる。このため操作員は自分の窓口で処理したチケットを容易に識別することができ、チケット媒体の混同を防ぐことができる。
【００２６】
また、印刷されたチケットを搬送する搬送路には上下動する仕分け棒を備え、該仕分け棒を駆動することにより、チケットの方向を、例えば横方向から縦方向に左回転または右回転させることができる。また、左回転または右回転したチケットをスタッカに区分けして蓄積することができる。このため操作員は自分の窓口で処理したチケットを容易に識別することができる。
【符号の説明】
【００２７】
１…発券部、２Ａ、２Ｂ、２Ｃ…制御部及び入力装置、３…チケット、４…識別マーク、５…ロール紙、６…印字機構、７…チケットカッタ機構、８…搬送ベルト、９Ａ、９Ｂ…仕分け棒、１０…スタッカ、１１…スロット、１２…カム、１３…バネ。
【図１】
2011002914.tif 000003
【図２】
2011002914.tif 000004
【図３】
2011002914.tif 000005
【図４】
2011002914.tif 000006
【図５】
2011002914.tif 000007
【図６】
2011002914.tif 000008
【図７】
2011002914.tif 000009